(57)【要約】【課題】  本発明は、１つの動力源で複数の動作が行える運動用具の提供を目的とする。また、運動用具を使用しない場合に折りたたむことができる運動用具の提供を目的とする。【解決手段】  本発明の運動用具によれば、前後動作台、左右動作台、逆回動動作台及び同回動動作台は、１つの台接続部と接続しているため、台接続部の反復動作により４つの台が連動して同時にそれぞれ所定の動作を行う。この台接続部は、１つの駆動源であるモータと接続している。すなわち、本発明の運動用具は、１つの駆動源により複数の動作を行うことができる。【選択図】図１
2006218117.tif 000002
【特許請求の範囲】
【請求項１】
両足を載せて自動的に所要の反復動作を行うことで運動する運動用具であって、
足載置面に載せた前記両足を互いに同方向に前後に反復移動させるように駆動する前後動作台と、
足載置面に載せた前記両足を互いに同方向に左右に反復移動させるように駆動する左右動作台と、
足載置面に載せた前記両足を互いに同方向に反復回動させるように駆動する同回動動作台と、
足載置面に載せた前記両足を互いに逆方向に反復回動させるように駆動する逆回動動作台と、
前記前後動作台、前記左右動作台、前記同回動動作台及び前記逆回動動作台を動作させる駆動源と、
前記駆動源を内包する筐体と、
前記駆動源と接続される台接続部とを備え、
前記駆動源の駆動力を前記前後動作台、前記左右動作台、前記同回動動作台及び前記逆回動動作台が連動して同時に動作するように伝達する台接続部とを備えることを特徴とする運動用具。
【請求項２】
前記台接続部は、該台接続部の動作を足載置面に伝達する接続部材に支点を介して折り曲げ可能に接続され、
前記支点で前記台接続部と前記接続部材の角度を変えることができることを特徴とする請求項１記載の運動用具。
【請求項３】
前記駆動源は回転し、
前記台接続部は、該駆動源の回転を所要の方向への反復動作に変換することを特徴とする請求項１記載の運動用具。
【請求項４】
前記台接続部は、前記支点で分離可能に構成され、
前記前記前後動作台、前記左右動作台、前記同回動動作台及び前記逆回動動作台を取り外すことができることを特徴とする請求項２記載の運動用具。
【発明の詳細な説明】
【技術分野】
【０００１】
本発明は、両足を載せて所要の反復運動を行う運動用具に関するものである。
【背景技術】
【０００２】
健康増進、リハビリ、ダイエットといった目的で種々の運動用具、健康用具が開発されている。例えば、左右動と上下動との組み合わせにより略円運動、ジグザグ状運動及び略八の字運動等の複合運動が行える健康器具がある（例えば、特許文献１参照）。また、上肢又は下肢を乗せて保持し、略円運動起動で動作する運動健康器具もある（例えば、特許文献２参照）。さらに、同じ方向に回転する２つの回転盤台に両足をそれぞれ載せる運動用具がある（例えば、特許文献３参照）。
【０００３】
【特許文献１】特開２００２−２０４８１８号公報
【特許文献２】特開２００２−２８２３８９号公報
【特許文献３】特開２００３−０７９７６１号公報
【発明の開示】
【発明が解決しようとする課題】
【０００４】
特許文献１記載の健康器具は、左右に動作させる動力源と、上下に動作させる動力源とを備え、この２つの動力源によって複数の動作を可能とするものである。すなわち、複数の動作をするために、複数の動力源を必要とし、装置の構造が複雑となってしまう。また、特許文献２及び３記載の健康器具は、１種類の動作しか行うことができない。
【０００５】
そこで、本発明は、上記実状に鑑み、１つの動力源で複数の動作が行える運動用具の提供を目的とする。また、運動用具を使用しない場合に折りたたむことができる運動用具の提供を目的とする。
【課題を解決するための手段】
【０００６】
本発明の運動用具は、両足を載せて自動的に所要の反復動作を行うことで運動する運動用具であって、足載置面に載せた前記両足を互いに同方向に前後に反復移動させるように駆動する前後動作台と、足載置面に載せた前記両足を互いに同方向に左右に反復移動させるように駆動する左右動作台と、足載置面に載せた前記両足を互いに同方向に反復回動させるように駆動する同回動動作台と、足載置面に載せた前記両足を互いに逆方向に反復回動させるように駆動する逆回動動作台と、前記前後動作台、前記左右動作台、前記同回動動作台及び前記逆回動動作台を動作させる駆動源と、前記駆動源を内包する筐体と、前記駆動源と接続される台接続部とを備え、前記駆動源の駆動力を前記前後動作台、前記左右動作台、前記同回動動作台及び前記逆回動動作台が連動して同時に動作するように伝達する台接続部とを備えることを特徴とする運動用具。
【０００７】
本発明の運動用具によれば、前後動作台、左右動作台、逆回動動作台及び同回動動作台は、１つの台接続部と接続しているため、台接続部の反復動作により４つの台が連動して同時にそれぞれ所定の動作を行う。この台接続部は、１つの駆動源であるモータと接続している。すなわち、本発明の運動用具は、１つの駆動源により複数の動作を行うことができる。
【０００８】
また、本発明の運動用具において、前記台接続部は、該台接続部の動作を足載置面に伝達する接続部材に支点を介して折り曲げ可能に接続され、前記支点で前記台接続部と前記接続部材の角度を変えることができることを特徴とする。これにより、不使用時に前後動作台、左右動作台、逆回動動作台及び同回動動作台を折りたたむことができ、本発明の運動用具の収納性を向上させることができる。
【０００９】
さらに、本発明の運動用具において、前記駆動源は回転し、前記台接続部は、該駆動源の回転を所要の方向への反復動作に変換することを特徴とする。これにより、複雑な動きをする駆動源ではなく、例えばモータ等の回転する駆動源を使用しても、駆動源に接続された台接続部が反復動作し、前後動作台、左右動作台、逆回動動作台及び同回動動作台を連動して同時に所定の動作を行わせることができる。
【００１０】
またさらに、前記台接続部は、前記支点で分離可能に構成され、前記前記前後動作台、前記左右動作台、前記同回動動作台及び前記逆回動動作台を取り外すことができることを特徴とする。これにより、使用する台以外を取り外すことができ、あまりスペースのない場所でも本発明の運動用具を使用することができる。
【発明の効果】
【００１１】
本発明の運動用具によれば、前後動作台、左右動作台、逆回動動作台及び同回動動作台は、１つの台接続部と接続しているため、台接続部の反復動作により４つの台が連動して同時にそれぞれ所定の動作を行う。この台接続部は、１つの駆動源であるモータと接続している。すなわち、本発明の運動用具は、１つの駆動源により複数の動作を行うことができる。
【発明を実施するための最良の形態】
【００１２】
以下、本発明の運動用具について、図面を参照しながら詳細に説明する。なお、本発明においては、以下の記述に限定されるものではなく、本発明の要旨を逸脱しない範囲において適宜変更可能である。
【００１３】
図１は、本発明の運動用具の一例を示す図である。本発明の運動用具は、それぞれ蓋が被せられた箱体状の前後動作台１、左右動作台２、逆回動動作台３及び同回動動作台４と、筐体５と、筐体５に備えられた取っ手６とを有している。
【００１４】
筐体５は、内部を中空とする略四角柱状で、筐体５の側面のうち４つの側面の底面側それぞれに、ヒンジ部１９を介して前後動作台１の一方側面、ヒンジ部２９を介して左右動作台２の一方側面、ヒンジ部３９を介して逆回動動作台３の一方側面、ヒンジ部４９を介して同回動動作台４の一方側面が接続されている。また、筐体５の上面には、取っ手６が回動可能に形成されている。そして、筐体５と各台とが接続される近傍には、下記で説明する台接続部５１を挿通させ、台接続部５１の反復動作を妨げないように開口が設けられている。
【００１５】
中空とした筐体５の内部には、図２のように、駆動源としてモータ５０と、そのモータ５０の下方に接続される台接続部５１を有している。モータ５０は、台接続部５１の上方に設置され、本発明の運動用具が電気的に接続されることによりモータ５０の末端が所要の半径での回転する。回転するモータ５０の末端には、台接続部５１が接続されている。これにより、モータ５０の駆動力を台接続部５１に伝達することができる。
【００１６】
台接続部５１は、図３のように、２枚の細長い板状部材の略中心近傍同士を直行させて重ねた十字状部材である。板状部材が重ねられた際に上方に配置される板状部材の中心近傍には、台接続部５１の反復動作の方向と直行する方向が長手方向となるように矩形状の溝５２が形成されている。この溝５２には、ベアリング５３が形成され、溝５２の幅は、ベアリング５３の直径と略同じである。そのベアリング５３の中心にモータ５０の末端が差し込まれる。
【００１７】
筐体５の開口近傍に位置する台接続部５１のそれぞれ末端には、例えば、螺子止め等によりヒンジ部５５が取り付けられる。そして、ヒンジ部５５を介して各台の足載置面１０と接続される接続部材１８が接続される。すなわち、このヒンジ部５５を支点として、第接続部５１と接続部材との角度を変えることができる。この接続部材１８が、下記で説明する前後動作台１、左右動作台２、逆回動動作台３及び同回転動作台４の側面の開口から各台の内部にそれぞれ挿入される。
【００１８】
この台接続部５１は、モータ５０の回転を所要の方向への反復動作に変換するものであれば、１枚の板状部材で形成されていてもよい。
【００１９】
また、台接続部５１には、筐体底面の中心近傍に固定され、台接続部５１の中心近傍を囲うように動作制限部５４が設けられている。この動作制限部５４は、台接続部５１とモータ５０との間に設置され、上面と側面とに開口を有している。そして、動作制限部５４の上面の開口は、台接続部５１とモータ５０とを接続することができ、モータ５０の末端の回転を妨げないように設けられている。また、動作制限部５４の側面の開口には、台接続部５１が所要の方向に反復動作が可能なように台接続部５１の４つの末端が挿通されることで、台接続部５１を直線的な反復動作させることができる。台接続部５１の反復動作の方向と動作制限部５１の側面とが直行する側面の開口は、挿通される末端の幅より若干大きくなるように設けられている。そして、台接続部５１の反復動作の方向と動作制限部５１の側面とが平行となる側面の開口は、台接続部５１の反復動作を妨げないように設けられている。これにより、モータ５０の回転を所要の方向への反復動作に変換することができる。この動作制限部５４は、例えば、台接続部５１のみでモータ５０の回転を所定の方向への反復動作に変換できる場合、設けなくてもよい。
【００２０】
前後動作台１は、台接続部５１の反復動作の方向と筐体５から前後動作台１に向かう方向とが平行となるように、筐体５の側面の底面側近傍にヒンジ部１９を介して接続される。この前後動作台１は、図４のように、箱体１１と箱体１１の上面を塞ぐ蓋１２とを有している。そして、蓋１２には本発明の運動用具を使用する際に両足を載せる足載置面１０が前後動作台１の上面に現れ、足載置面１０の反復動作を阻害しないように開口を有している。
【００２１】
箱体１１には、筐体５に対向する側面に台接続部５１の反復動作を妨げないように開口が設けられている。この開口には、台接続部５１の末端に取り付けられたヒンジ部５５の１つが挿通され、このヒンジ部５５に接続部材１８が取り付けられている。すなわち、ヒンジ部５５によって、台接続部５１と接続部材１８とは折り曲げ可能に接続されている。
【００２２】
足載置面１０は、両足を載せることができる程度の大きさの矩形板状部材からなる。この足載置面１０は、ヒンジ部５５を介して台接続部５１に取り付けられた接続部材１８の上面に固定されている。これにより、台接続部５１が反復動作によって、その動作に対応して足載置面１０が反復動作する。そして、足載置面１０の反復動作を円滑に行うために、箱体１１の内側底面に動作方向と同じ方向に凸状のレール１４を設け、それを図示されていないローラで挟むような金具を接続部材１８のレール１４の位置に対応するように底面に取り付けられている。これにより、足載置面１０の滑りがよくなり、反復動作にあまり力を必要としない。このほかに、例えば、ベアリングなども使用することで足載置面１０の滑りをよくすることができる。足載置面１０の底面に固定された接続部材１８は、蓋１２の下面と接触していてもよい。この場合、接続部材１８と蓋１２との摩擦による反復動作の抵抗を少なくするために蓋１２の下面の接続部材１８との接触部分にベアリングを備えてもよい。このように、蓋１２の下面を接続部材１８と接触させるように備えることで、接続部材１８及び足載置面１０が前後動作台１から飛び出すことを防ぐことができる。
【００２３】
前後動作台１は、台接続部５１の反復動作の方向と筐体５から前後動作台１に向かう方向とが平行となるように接続されている。すなわち、ヒンジ部５５を介して台接続部５１に取り付けられた接続部材１８が前後動作台１に出入りするように前後に反復動作する。したがって、接続部材１８に固定された足載置面１０もその動作に対応して筐体５に対して前後に反復移動する。
【００２４】
筐体５と前後動作台１とは、ヒンジ部１９により接続されている。台接続部５１と接続部材１８とは、ヒンジ部５５を支点として角度を変えることができる。すなわち、ヒンジ部５５を筐体５と前後動作台１とを接続するヒンジ部１８と略一直線上となるように配置することで、足載置面１０を筐体５に面するように前後動作台１を折りたたむことができる。
【００２５】
左右動作台２は、台接続部５１の反復動作の方向と筐体５から左右動作台２に向かう方向とが直行するように、筐体５の側面の底面側近傍にヒンジ部２９を介して接続される。この左右動作台２は、図５のように、箱体２１と箱体２１の上面を塞ぐ蓋２２とを有している。そして、蓋２２には本発明の運動用具を使用する際に両足を載せる足載置面２０が左右動作台２の上面に現れ、足載置面２０の反復動作を阻害しないように開口を有している。
【００２６】
箱体２１には、筐体５に対向する側面に台接続部５１の反復動作を妨げないように開口が設けられている。この開口には、台接続部５５の末端に取り付けられたヒンジ部５５の１つが挿通され、このヒンジ部５５に接続部材２８が取り付けられている。すなわち、ヒンジ部５５によって、台接続部５１と接続部材２８とは折り曲げ可能に接続されている。
【００２７】
足載置面２０は、両足を載せることができる程度の大きさの矩形板状部材からなる。この足載置面２０は、ヒンジ部５５を介して台接続部５１に取り付けられた接続部材２８の上面に固定されている。これにより、台接続部５１が反復動作によって、その動作に対応して足載置面２０が反復動作する。そして、足載置面２０の反復動作を円滑に行うために、箱体２１の内側底面に動作方向と同じ方向に凸状のレール２４を設け、それを図示されていないローラで挟むような金具を接続部材２８のレール２４の位置に対応するように底面に取り付けられている。これにより、足載置面２０の滑りがよくなり、反復動作にあまり力を必要としない。このほかに、例えば、ベアリングなども使用することで足載置面２０の滑りをよくすることができる。足載置面２０の底面に固定された接続部材２８は、蓋２２の下面と接触していてもよい。この場合、接続部材２８と蓋２２との摩擦による反復動作の抵抗を少なくするために蓋２２の下面の接続部材２８との接触部分にベアリングを備えてもよい。このように、蓋２２の下面を接続部材２８と接触させるように備えることで、接続部材２８及び足載置面２０が左右動作台２から飛び出すことを防ぐことができる。
【００２８】
左右動作台２は、台接続部５１の反復動作の方向と筐体５から左右動作台２に向かう方向とが直行するように接続されている。すなわち、ヒンジ部５５を介して台接続部５１に取り付けられた接続部材２８が左右動作台２の中で左右に反復動作する。したがって、接続部材２８に固定された足載置面２０もその動作に対応して筐体５に対して前後に反復移動する。
【００２９】
筐体５と左右動作台２とは、ヒンジ部２９により接続されている。台接続部５１と接続部材２８とは、ヒンジ部５５を支点として角度を変えることができる。すなわち、ヒンジ部５５を筐体５と前後動作台１とを接続するヒンジ部２８と略一直線上となるように配置することで、足載置面２０を筐体５に面するように左右動作台２を折りたたむことができる。
【００３０】
逆回動動作台３は、台接続部５１の反復動作の方向と筐体５から逆回動動作台３に向かう方向とが平行となるように、筐体５の側面の底面側近傍にヒンジ部３９を介して接続される。この逆回動動作台３は、図６のように、箱体３１と箱体３１の上面を塞ぐ蓋３２とを有している。そして、蓋３２には本発明の運動用具を使用する際に両足を載せる足載置面３０が逆回動動作台３の上面に現れ、足載置面３０の回動動作を阻害しないように開口を有している。
【００３１】
箱体３１には、筐体５に対向する側面に台接続部５１の反復動作を妨げないように開口が設けられている。この開口には、台接続部５１の末端に取り付けられたヒンジ部５５の１つが挿通され、このヒンジ部５５に接続部材３８が取り付けられている。すなわち、ヒンジ部５５によって、台接続部５１と接続部材３８とは折り曲げ可能に接続されている。
【００３２】
足載置面３０は、片足を載せることができる程度の２つの円形板状部材からなる。この足載置面３０の底面には、円形板状部材と略同じ大きさの歯車が設けられている。この足載置面３０に設けられている２つの歯車は、台接続部５１にヒンジ部５５を介して取り付けられた接続部材３８に対して対向し、接続部材３８の側面と接触するような位置に足載置面３０の中心で回動自在に設置されている。また、接続部材３８の側面は、足載置面３０に設けられる歯車と噛合するように蛇行している。そして、この足載置面３０の歯車の底面に図示されていない例えばベアリングを備えている。足載置面３０の歯車は、蓋３２の下面と接触していてもよい。この場合、歯車と蓋３２との摩擦による反復動作の抵抗を少なくするために蓋３２の下面の歯車との接触部分にベアリングを備えてもよい。このように、蓋３２の下面を歯車と接触させるように備えることで、歯車及び足載置面３０が逆回動動作台３から飛び出すことを防ぐことができる。
【００３３】
逆回動動作台３は、台接続部５１の反復動作の方向と筐体５から逆回動動作台３に向かう方向とが平行となるように接続されている。すなわち、ヒンジ部５５を介して台接続部５１に取り付けられた接続部材３８が逆回動動作台３に出入りするように前後に反復動作する。したがって、接続部材３８に噛合する歯車が備えられる２つ足載置面３０もその動作に対応してそれぞれ逆方向に反復回動する。
【００３４】
筐体５と逆回動動作台３とは、ヒンジ部３９により接続されている。台接続部５１と接続部材３８とは、ヒンジ部５５を支点として角度を変えることができる。すなわち、ヒンジ部５５を筐体５と逆回動動作台３とを接続するヒンジ部３９と略一直線上となるように配置することで、足載置面３０を筐体５に面するように逆回動動作台３を折りたたむことができる。
【００３５】
同回動動作台４は、台接続部５１の反復動作の方向と筐体５から同回動動作台４に向かう方向とが直行するように、筐体５の側面の底面側近傍にヒンジ部４９を介して接続される。この同回動動作台４は、図７のように、箱体４１と箱体４１の上面を塞ぐ蓋４２とを有している。そして、蓋４２には本発明の運動用具を使用する際に両足を載せる足載置面４０が同回動動作台４の上面に現れ、足載置面４０の回動動作を阻害しないように開口を有している。
【００３６】
箱体４１には、筐体５に対向する側面に台接続部５１の反復動作を妨げないように開口が設けられている。この開口には、台接続部５１の末端に取り付けられたヒンジ部５５の１つが挿通され、このヒンジ部５５に筐体５から同回動動作台４に向かう方向とが直行する方向に広がった丁字状の接続部材４８が取り付けられている。すなわち、ヒンジ部５５によって、台接続部５１と接続部材４８とは折り曲げ可能に接続されている。
【００３７】
足載置面４０は、片足を乗せることができる程度の２つの円形板状部材からなる。この足載置面４０の底面には、円形板状部材と略同じ大きさの歯車が設けられている。この２つの足載置面４０に設けられる歯車は、台接続部５１にヒンジ部５５を介して取り付けられた接続部材４８を挟んで筐体５と対向し、接続部材４８の側面と接触するような位置に足載置面４０の中心で回動自在となるように設置されている。また、接続部材４８の側面は、足載置面４０に設けられる歯車と噛合するように蛇行している。そして、この足載置面４０の歯車の底面に図示されていない例えばベアリングを備えている。足載置面４０の歯車は、蓋４２の下面と接触していてもよい。この場合、歯車と蓋４２との摩擦による反復動作の抵抗を少なくするために蓋４２の下面の歯車との接触部分にベアリングを備えてもよい。このように、蓋４２の下面を歯車と接触させるように備えることで、歯車及び足載置面４０が同回動動作台４から飛び出すことを防ぐことができる。
【００３８】
同回動動作台４は、台接続部５１の反復動作の方向と筐体５から同回動動作台４に向かう方向とが直行するように接続されている。すなわち、ヒンジ部５５を介して台接続部５１に取り付けられた接続部材４８が同回動動作台４の中で左右に反復動作する。したがって、接続部材４８に噛合する歯車が備えられた２つ足載置面４０もその動作に対応してそれぞれ同方向に反復回動する。
【００３９】
筐体５と同回動動作台４とは、ヒンジ部４９により接続されている。台接続部５１と接続部材４８とは、ヒンジ部５５を支点として角度を変えることができる。すなわち、ヒンジ部５５を筐体５と同回動動作台４とを接続するヒンジ部３９と略一直線上となるように配置することで、足載置面３０を筐体５に面するように同回動動作台４を折りたたむことができる。
【００４０】
図１のように、筐体５の上面には、本発明の運動用具を使用する際に両手で身体を支えることができる取っ手６が回動自在に備えられている。この取っ手６を備えることで、身体を支えることができ、より安全に運動することができる。また、取っ手６が回動自在に設けられていることで、前後動作台１、左右動作台２、逆回動動作台３、又は、同回動動作台４のうち何れを使用しても身体の向きにあわせて取っ手６の向きを変えることができる。すなわち、何れの台に載ってもより安全に運動することができる。また、この取っ手６は、任意の高さで固定するために固定部６０が備えられている。これにより、本発明の運動用具を使用する人の身体にあわせて取っ手６の高さを変えることができる。また、不使用時に取っ手６を低くすることでより収納性を向上させることができる。
【００４１】
さらに、この取っ手６には、本発明の運動用具の反復動作の速さをコントロールする制御部や音楽を聞きながら運動することができるように音楽発生手段を備えていてもよい。このように、音楽のリズムにあわせてスピードを調整することにより、音楽にあわせて運動することができ、より楽しく運動することができる。また、反復動作の速さや回数、運動する時間を表示する表示部を備えていてもよい。さらに、本発明の運動用具の使用によって消費カロリーを計算し、その結果をその表示部に表示してもよい。また、モータ５０の電気的接続をコントロールするオンオフのスイッチを備えていてもよい。
【００４２】
このように形成される本発明の運動用具は、電気的に接続させることで前後動作台１、左右動作台２、逆回動動作台３、及び、同回動動作台４が連動動作する。まず、本発明の運動用具が電気的に接続することで、モータ５０が回転する。
【００４３】
モータ５０の末端は、台接続部５１に形成される溝５２内のベアリング５３に差し込まれている。溝５２内のベアリング５３は、溝５２の長手方向と同じ方向に円滑に移動するため、台接続部５１は、溝５２の長手方向と同じ方向にほとんど移動しない。すなわち、台接続部５１は、溝５２の長手方向と直行する方向にのみ移動することになる。したがって、モータ５０による所定の半径での回転動作は、台接続部５１により溝５２の長手方向に直行する方向への反復動作を行う。
【００４４】
台接続部５１の末端は、前後動作台１、左右動作台２、逆回動動作台３、及び、同回動動作台４の内部に挿入されていることにより、台接続部５１の反復動作を前後動作台１、左右動作台２、逆回動動作台３、及び、同回動動作台４に伝達することができる。
【００４５】
前後動作台１は、台接続部５１の反復動作の方向と筐体５から前後動作台１に向かう方向とが平行となるように接続されている。台接続部５１が反復動作することで、台接続部５１が前後動作台１の内部に出入りするように前後に反復動作する。したがって、前後動作台１に挿入された台接続部５１の末端に固定された足載置面１０が筐体５に対して前後に反復移動する。すなわち、両足を足載置面１０に載せた場合、身体の正面に対して前後に反復する運動を行うことができる。
【００４６】
左右動作台２は、台接続部５１の反復動作の方向と筐体５から左右動作台２に向かう方向とが直行するように接続されている。台接続部５１が反復動作することで、台接続部５１が左右動作台２の内部で左右に反復動作する。したがって、左右動作台２に挿入された台接続部５１の末端に固定された足載置面２０が筐体５に対して左右に反復移動する。すなわち、両足を足載置面２０に載せた場合、身体の正面に対して左右に反復する運動を行うことができる。
【００４７】
逆回動動作台３は、台接続部５１の反復動作の方向と筐体５から逆回動動作台３に向かう方向とが平行となるように接続されている。台接続部５１が反復動作することで、台接続部５１が逆回動動作台３の内部に出入りするように前後に反復動作する。逆回動動作台３に挿入された台接続部５１の末端側面は、台接続部５１を挟んで対向して配置された２つの足載置面３０の歯車に噛合している。したがって、台接続部５１が前後に反復動作することで、足載置面３０それぞれが互いに逆方向に反復回動する。すなわち、２つの足載置面３０に足をそれぞれ載せることで、足のつま先及び脚部を内側に回したり、外側に回したりするように反復する運動を行うことができる。
【００４８】
同回動動作台４は、台接続部５１の反復動作の方向と筐体５から同回動動作台４に向かう方向とが直行するように接続されている。台接続部５１が反復動作することで、台接続部は５１が同回動動作台４の内部で左右に反復動作する。同回動動作台４に挿入された台接続部５１の末端は丁字状であり、その側面は、台接続部５１を挟んで筐体５に対向して配置された２つの足載置面４０の歯車に噛合している。したがって、台接続部５１が左右に反復動作することで、足載置面４０それぞれが互いに同じ方向に反復回動する。すなわち、２つの足載置面４０に足それぞれ載せることで、足のつま先及び脚部を同じ方向になるように左右に回すように反復する運動を行うことができる。
【００４９】
この前後動作台１、左右動作台２、逆回動動作台３、及び、同回動動作台４は、１つの台接続部５１と接続しているため、台接続部５１の反復動作により４つの台が連動して同時にそれぞれ所定の動作を行う。この台接続部５１は、１つの駆動源であるモータ５０と接続している。すなわち、本発明の運動用具は、１つの駆動源により、複数の動作を行うことができる。
【００５０】
本発明の運動用具は、前後動作台１、左右動作台２、逆回動動作台３、及び、同回動動作台４が連動して同時に動作するため、最大で４人まで同時に運動することもできる。また、本発明の運動用具の台接続部５１は、ヒンジ部５５を介して折り曲げ可能である。そのため、図８のように、前後動作台１、左右動作台２、逆回動動作台３及び同回動動作台４は、不使用時にそれぞれの各台の足載置面が筐体５に面するように前記台接続部が折り曲げることができる。これにより、不使用時に前後動作台１、左右動作台２、逆回動動作台３、及び、同回動動作台４を折りたたむことができ、本発明の運動用具の収納性を向上させることができる。
【００５１】
また、台接続部５１は、折り曲げの支点となるヒンジ部５５を介して分離可能に構成されていてもよい。さらに、本発明の運動用具は、ヒンジ部１９、２９、３９、４９で筐体５から前後動作台１、左右動作台２、逆回動動作台３、同回動動作台４を取り外すことができるように構成されていても良い。これにより、使用する台のみを筐体５に取り付けることで、あまりスペースのない場所でも本発明の運動用具を使用することができる。また、前後動作台１と逆回動動作台３、左右動作台２と同回動動作台４とを付け替えることもできる。
【００５２】
さらに、本発明の運動用具は、モータ５０への電気的接続のオンオフや、モータ５０の回転すなわち、台接続部５１の反復動作の速さ等の制御を遠隔操作できるような操作部を備えてもよい。そして、その操作部の信号を受けてモータ５０への電気的接続のオンオフやモータ５０の回転速度を制御する受信部とを備えていてもよい。これにより、使用者が手元で操作することができるため操作が楽にできる。
【図面の簡単な説明】
【００５３】
【図１】本発明の運動用具の一例を示す斜視図である。
【図２】本発明の運動用具の筐体の内部を示す分解斜視図である。
【図３】本発明の運動用具の台接続部を示す斜視図である。
【図４】本発明の前後動作台の内部構造を示す図である。
【図５】本発明の左右動作台の内部構造を示す図である。
【図６】本発明の逆回動動作台の内部構造を示す図である。
【図７】本発明の同回動動作台の内部構造を示す図である。
【図８】本発明の運動用具の不使用時に前後動作台、左右動作台、逆回動動作台及び同回動動作台を折りたたんだ状態を示す図である。
【符号の説明】
【００５４】
１  前後動作台
２  左右動作台
３  逆回動動作台
４  同回動動作台
５  筐体
６  取っ手
１０、２０、３０、４０  足載置面
１１、２１、３１、４１  箱体
１２、２２、３２、４２  蓋
１４、２４  レール
１８、２８、３８、４８  接続部材
１９、２９、３９、４９、５５  ヒンジ部
５０  モータ
５１  台接続部
５２  溝
５３  ベアリング
５４  動作制限
【図１】
2006218117.tif 000003
【図２】
2006218117.tif 000004
【図３】
2006218117.tif 000005
【図４】
2006218117.tif 000006
【図５】
2006218117.tif 000007
【図６】
2006218117.tif 000008
【図７】
2006218117.tif 000009
【図８】
2006218117.tif 000010